(57)【要約】      （修正有）【課題】高齢者の変形性膝関節症などで膝に痛みがある方に対して、下肢の骨や関節にかかる負担を軽減させるために、歩行時に膝の伸展制限を加えることで、踵から爪先へのスムーズな体重移動が行え、下肢全体の筋肉の収縮力を増すことが出来て、膝関節への負担も軽減し歩行時の膝の痛みの緩和が出来る膝伸展制限膝用サポーターを提供する。【解決手段】前開き用の膝用サポーター本体１の左右の上下両端に面ファスナ２を付け、本サポーター本体１の側面の上端に伸縮性の膝伸展制限ベルト３を固定して、膝伸展制限ベルト３の下端と、それを矢印４の方向に引っ張って本サポーター本体１に固定するために、本サポーター本体１の側面の下端に面ファスナ２を付け、本サポーター本体１の側面に膝伸展制限の機能を低下させないためのコイルボーン５を付けた膝伸展制限膝用サポーターを特徴とする。【選択図】図１
2016047968.tif 000002
【特許請求の範囲】
【請求項１】
膝用サポーター本体（１）の背面に膝伸展制限のベルト（３）を付け、膝用サポーター本体（１）の背面の膝伸展制限ベルト（３）の長さや張力を次のような範囲とする。
歩行時の膝伸展制限の効力を向上させるために、膝用サポーター本体（１）の背面の膝伸展制限ベルト（３）に伸縮性のベルトを使用して、その長さや張力を歩行時に膝の伸展角度（６）が−５度以上に伸展させないようにするために、自然体での立位時の膝の伸展角度（６）を−５度〜−３０度の範囲として、歩行時に体重が常に踵から爪先へ移動しやすいようにする。
膝用サポーター本体（１）の背面の膝伸展制限ベルト（３）を取り付ける方向は、縦方向のベルトやクロスベルトなど膝伸展制限に効果のあるもの全てを範囲とする。
【請求項２】
膝用サポーター本体（１）の背面に、膝伸展制限ベルト（３）を付けることで、膝用サポーター本体（１）は上下方向に引っ張られることとなり、上下の距離が縮まろうとするため膝伸展制限の効力を維持するために、膝用サポーター本体（１）の上下の距離が縮まらないようにするために補強パネル（５）を取り付ける。
【発明の詳細な説明】
【技術分野】
【０００１】  この発明は、歩行時に膝の痛みを緩和するために、下肢の筋肉を十分働かせる事を目的にした膝伸展制限膝用サポーターに関するものである。
【背景技術】
【０００２】  これまでの膝用サポーターは、歩行時に膝の痛みを緩和するために、膝の安定性を重視して動揺を防いだり、膝の保護のためのものが主で、一部サポーターの背面にクロスベルトを用いているものもあったが、それらもまた膝の動揺防止や保護のためのもので、歩行時の膝の痛みの軽減に重要な下肢全体の筋肉の力を十分引き出させるものではなかった。
【発明の概要】
【発明が解決しようとする課題】
【０００３】  従来、歩行時に膝の痛みを軽減させるために使用する膝用サポーターは様々なものがあるが、変形性膝関節症などで膝の痛みで悩む高齢者はものすごく数多くおられ、高齢者の歩行は若い頃の歩行とは大半の人が違いがあり、膝にかかる負担が大きく既存の膝用サポーターでは高齢者の歩行時の膝の痛みに対しての対策が十分ではなかった。
本発明は、以上のような欠点をなくすためになされたものである。
【課題を解決するための手段】
【０００４】  前開き用の膝用サポーター本体（１）の左右の上下両端にマジックテープ（２）を付け、本サポーター本体（１）の背面の上端に伸縮性の膝伸展制限ベルト（３）を固定して、膝伸展制限ベルト（３）の下端と、それを矢印（４）の方向に引っ張って本サポーター本体（１）に固定するために、本サポーター本体（１）の下端にマジックテープ（２）を付け、本サポーター本体（１）の側面と背面に膝伸展制限の機能を低下させないための補強パネル（５）を付ける。
本発明は、以上の構成よりなる膝伸展制限膝用サポーターである。
【発明の効果】
【０００５】  大半の高齢者の歩行は歩幅が狭く、歩行時に踵接地のまま膝伸展位で踵から爪先へ体重移動をすることなく歩行をするため、いつの間にか爪先で体重を支えることが出来なくなっていて、下肢全体の筋肉の力が衰え、本来下肢の骨や関節にかかる負担を軽減させるはずの下肢の筋肉の収縮が十分起きておらず、体重が骨や関節にかかる負担が大きく、膝関節の変形を強めることに繋がり、膝の痛みを増大する傾向があるが、本膝用サポーターを着用することにより、膝用サポーターの背面の膝伸展制限のための伸縮ベルトによって自然体での立位時に膝は過伸展や完全伸展することなく、膝は軽度屈曲位で伸展制限を行うため、踵支持のまま歩行することは難しく、脚を交互に交わす度に膝伸展制限のための伸縮ベルトが軽く膝を屈曲方向に引っ張るために、自然と踵から爪先への体重移動がスムーズに行え、下肢全体の筋肉の収縮力が増して、膝の動揺を防止したり膝折れを防いだりすることが出来、膝の安定性が向上して、体重を下肢全体の筋肉で支え、下肢の骨や関節にかかる負担を軽減出来るため、当然の如く膝関節にかかる負担も軽減して痛みもかなり緩和出来る。
この膝用サポーターは、高齢者の歩行で見逃されていた最も重要な下肢の筋肉を十分活用して、若い頃の歩行スタイルに近づけ、下肢の骨や関節にかかる負担を緩和出来るのである。
【図面の簡単な説明】
【０００６】
【図１】  本発明の表面図である。
【図２】  本発明の裏面図である。
【図３】  本発明の着用時の正面図である。
【図４】  本発明の着用時の背面図である。
【図５】  本発明の着用時の側面図である。
【発明を実施するための形態】
【０００７】  以下、本発明を実施するための形態について説明する。
前開き用の膝用サポーター本体（１）の左右の上下両端に、下肢に固定するためのマジックテープ（２）を付ける。
膝の動揺防止と膝の伸展制限のために、本サポーター本体（１）の背面の上端に伸縮性の膝伸展制限ベルト（３）を固定して、膝伸展制限ベルト（３）の下端と、その膝伸展制限ベルト（３）を矢印（４）の方向に引っ張って、本サポーター本体（１）に固定するために、本サポーター本体（１）の下端にマジックテープ（２）を付ける。
本サポーター本体（１）の側面と背面に、膝伸展制限の機能を低下させないための補強パネル（５）を付ける。
本発明は、以上のような構造である。
これを使用する時は、膝用サポーターをしっかり下肢に固定するために膝を９０度程度屈曲して装着するとよい。
【符号の説明】
【０００８】  １  サポーター本体
２  マジックテープ
３  膝伸展制限ベルト
４  膝伸展制限ベルトを引っ張る方向
５  補強パネル
６  膝の伸展角度
【図１】
2016047968.tif 000003
【図２】
2016047968.tif 000004
【図３】
2016047968.tif 000005
【図４】
2016047968.tif 000006
【図５】
2016047968.tif 000007
【図６】
2016047968.tif 000008
【手続補正書】
【提出日】平成25年12月26日(2013.12.26)
【手続補正１】
【補正対象書類名】明細書
【補正対象項目名】０００６
【補正方法】変更
【補正の内容】
【０００６】
【図１】  本発明の表面図である。
【図２】  本発明の裏面図である。
【図３】  本発明の着用時の正面図である。
【図４】  本発明の着用時の背面図である。
【図５】  本発明の着用時の側面図である。
【図６】  膝の伸展角度を表す図である。
【手続補正書】
【提出日】平成26年8月28日(2014.8.28)
【手続補正１】
【補正対象書類名】明細書
【補正対象項目名】０００４
【補正方法】変更
【補正の内容】
【０００４】  前開き用の膝用サポーター本体（１）の左右の上下両端にマジックテープ（２）を付け、本サポーター本体（１）の側面の上端に伸縮性の膝伸展制限ベルト（３）を固定して、膝伸展制限ベルト（３）の下端と、それを矢印（４）の方向に引っ張って本サポーター本体（１）に固定するために、本サポーター本体（１）の側面の下端にマジックテープ（２）を付け、本サポーター本体（１）の側面に膝伸展制限の機能を低下させないためのコイルボーン（５）を付ける。
本発明は、以上の構成よりなる膝伸展制限膝用サポーターである。
【手続補正２】
【補正対象書類名】明細書
【補正対象項目名】０００７
【補正方法】変更
【補正の内容】
【０００７】  以下、本発明を実施するための形態について説明する。
前開き用の膝用サポーター本体（１）の左右の上下両端に、下肢に固定するためのマジックテープ（２）を付ける。
膝の動揺防止と膝の伸展制限のために、本サポーター本体（１）の側面の上端に伸縮性の膝伸展制限ベルト（３）を固定して、膝伸展制限ベルト（３）の下端と、その膝伸展制限ベルト（３）を矢印（４）の方向に引っ張って、本サポーター本体（１）に固定するために、本サポーター本体（１）の側面の下端にマジックテープ（２）を付ける。
本サポーター本体（１）の側面に、膝伸展制限の機能を低下させないためのコイルボーン（５）を付ける。
本発明は、以上のような構造である。
これを使用する時は、膝用サポーターをしっかり下肢に固定するために膝を９０度程度屈曲して装着するとよい。
【手続補正３】
【補正対象書類名】明細書
【補正対象項目名】０００８
【補正方法】変更
【補正の内容】
【０００８】  １  サポーター本体
２  マジックテープ
３  膝伸展制限ベルト
４  膝伸展制限ベルトを引っ張る方向
５  コイルボーン
６  膝の伸展角度
【手続補正４】
【補正対象書類名】特許請求の範囲
【補正対象項目名】請求項１
【補正方法】変更
【補正の内容】
【請求項１】
膝用サポーター本体（１）の側面に膝伸展制限のベルト（３）を対側側面にクロスさせて付け、膝伸展制限ベルト（３）の材質、長さ、張力を次のような範囲とする。
歩行時の膝伸展制限の効力を向上させるために、膝用サポーター本体（１）の側面の膝伸展制限ベルト（３）に伸縮性のベルトを使用して、その長さや張力を歩行時に膝の伸展角度（６）が−５度以上に伸展させないようにするために、自然体での立位時の膝の伸展角度（６）を−５度〜−３０度の範囲として、歩行時に体重が常に踵から爪先へ移動しやすいようにする。
膝用サポーター本体（１）の側面の膝伸展制限ベルト（３）を取り付ける方向は、膝の動揺を抑えるために左右のベルトがクロスするようにして、膝伸展制限に効果があるようにする。
膝用サポーター本体（１）の側面に、クロスさせた膝伸展制限ベルト（３）を付けることで、膝用サポーター本体（１）は中心方向に引っ張られることとなり、上下の距離が縮まろうとするため、膝伸展制限の効力を維持させるように、膝用サポーター本体（１）の上下の距離が縮まらないような工夫としてコイルボーン（５）を取り付ける。
【手続補正６】
【補正対象書類名】図面
【補正対象項目名】図１
【補正方法】変更
【補正の内容】
【図１】
2016047968.tif 000009
【手続補正７】
【補正対象書類名】図面
【補正対象項目名】図４
【補正方法】変更
【補正の内容】
【図４】
2016047968.tif 000010
【手続補正８】
【補正対象書類名】図面
【補正対象項目名】図５
【補正方法】変更
【補正の内容】
【図５】
2016047968.tif 000011
【手続補正９】
【補正対象書類名】図面
【補正対象項目名】図６
【補正方法】変更
【補正の内容】
【図６】
2016047968.tif 000012
【手続補正書】
【提出日】平成26年10月23日(2014.10.23)
【手続補正３】
【補正対象書類名】手続補正書
【補正対象項目名】手続補正９
【補正方法】変更
【補正の内容】
【手続補正９】
【補正対象書類名】図面
【補正対象項目名】図６
【補正方法】変更
【補正の内容】
【図６】
2016047968.tif 000013
【手続補正書】
【提出日】平成27年2月19日(2015.2.19)
【手続補正１】
【補正対象書類名】特許請求の範囲
【補正対象項目名】全文
【補正方法】変更
【補正の内容】
【特許請求の範囲】
【請求項１】
膝用サポーター本体（１）の側面に膝伸展制限のベルト（３）を対側側面にクロスさせて付け、膝伸展制限ベルト（３）の材質、長さ、張力を次のような範囲とする。
歩行時の膝伸展制限の効力を向上させるために、膝用サポーター本体（１）の側面の膝伸展制限ベルト（３）に伸縮性のベルトを使用して、その長さや張力を歩行時に膝の伸展角度（６）が−５度以上に伸展させないようにするために、自然体での立位時の膝の伸展角度（６）を−５度〜−３０度の範囲として、歩行時に体重が常に踵から爪先へ移動しやすいようにする。
膝用サポーター本体（１）の側面の膝伸展制限ベルト（３）を取り付ける方向は、膝の動揺を抑えるために左右のベルトがクロスするようにして、膝伸展制限に効果があるようにする。
【請求項２】
膝用サポーター本体（１）の側面に、クロスさせた膝伸展制限ベルト（３）を付けることで、膝用サポーター本体（１）は中心方向に引っ張られることとなり、上下の距離が縮まろうとするため、膝伸展制限の効力を維持させるように、膝用サポーター本体（１）の上下の距離が縮まらないような工夫としてコイルボーン（５）を取り付ける。